(57)【要約】【課題】金属面の影響を反対に利用し、金属面に垂直な磁界を発生させることができ、タグやセンサの中心部で感度が低下する現象を無くし、この中心部でも垂直な磁界が得られ、感度が低下する現象を防止できる偏心磁性体コイルシステムの提供。【解決手段】  磁性体６に沿ってコイル２を巻く場合、該磁性体６の中心部に巻くのではなく、片側に偏心して巻くことを特徴とする偏心磁性体コイルシステム。【選択図】図１
0003121577.tif 000002
【実用新案登録請求の範囲】
【請求項１】
磁性体に沿ってコイルを巻く場合、該磁性体の中心部に巻くのではなく、片側に偏心して巻くことを特徴とする偏心磁性体コイルシステム。
【請求項２】
請求項１記載の偏心磁性体コイルシステムにおいて、磁性体が角形であることを特徴とする偏心磁性体コイルシステム。
【請求項３】
請求項１記載の偏心磁性体コイルシステムにおいて、磁性体が扁平であることを特徴とする偏心磁性体コイルシステム。
【請求項４】
請求項１記載の偏心磁性体コイルシステムにおいて、磁性体のコイルが巻かれていない部分がある一定の大きさであることを特徴とする偏心磁性体コイルシステム。
【請求項５】
請求項１記載の偏心磁性体コイルシステムにおいて、磁性体のコイルが巻かれていない部分が主として垂直磁界による通信の役割を行うことを特徴とする偏心磁性体コイルシステム。
【請求項６】
請求項１記載の偏心磁性体コイルシステムにおいて、磁性体の片面に金属面を設置することを特徴とする偏心磁性体コイルシステム。
【請求項７】
請求項１記載の偏心磁性体コイルシステムにおいて、磁性体が薄板で構成されていることを特徴とする偏心磁性体コイルシステム。
【請求項８】
請求項１ないし７のいずれか記載の偏心磁性体コイルシステムにおいて、センサとして使用する場合、プラスチックカバーを被せ、金属面に直接取り付けられることを特徴とする偏心磁性体コイルシステム。
【考案の詳細な説明】
【技術分野】
【０００１】
本考案は偏心磁性体コイルシステムに関し、ＲＦＩＤタグやセンサに用いる場合、金属面にも強く、かつコイルの軸方向と直角な方向に磁界を発生させる所謂垂直磁界の使用を可能にさせる磁性体にコイルを巻く場合の重要な技術に関する。
【背景技術】
【０００２】
非接触ＩＣカード並びにコイルを用いたＲＦＩＤタグやこれと共に用いるリーダライタＲ／Ｗ用センサは高周波等の振動電磁界を用いており金属体や金属面に近づくと、ミラー効果により磁界や電界が打ち消され、感度が著しく劣化する。
【０００３】
オンメタルタグと称し、ＲＦＩＤタグと金属面の間に磁路を作るために磁性体シートを挿入したものもあるが、コイルの中心軸が金属面と直角なため大部分の磁界が中心部で衝突し打ち消され、金属面と直角な方向即ち垂直な方向に磁界が現れにくい。
【０００４】
一方、角形コイルを金属面に対して横にし、ミラー効果を有効に利用し、６ｄＢの感度の上昇を得る方法が提案されている（特許文献１参照。）。
【０００５】
この方法は、金属面を逆に利用しているので、有効な技術ではあるが一つ問題点を抱えていた。
【０００６】
それは、カードやセンサ側には枠形のコイルを用いている場合が一般的であるので、タグやセンサ側に特許文献１の技術を適用する場合、中心部に不感地帯が発生することであった。
【特許文献１】特開２００３−３１７０５２号公報
【考案の開示】
【考案が解決しようとする課題】
【０００７】
金属面の影響を反対に利用し、金属面に垂直な磁界を発生させることができ、タグやセンサの中心部で感度が低下する現象を無くし、この中心部でも垂直な磁界が得られ、感度が低下する現象を防止できれば、使用目的に合致することができる。
【０００８】
このようなタグやセンサを実現する偏心磁性体コイルシステムを提供することが、本考案の目的である。
【課題を解決するための手段】
【０００９】
本考案は、上述の目的を達成するために、以下（１）〜（８）の構成を備える。
【００１０】
（１）磁性体に沿ってコイルを巻く場合、該磁性体の中心部に巻くのではなく、片側に偏心して巻くことを特徴とする偏心磁性体コイルシステム。
【００１１】
（２）前項（１）記載の偏心磁性体コイルシステムにおいて、磁性体が角形であることを特徴とする偏心磁性体コイルシステム。
【００１２】
（３）前項（１）記載の偏心磁性体コイルシステムにおいて、磁性体が扁平であることを特徴とする偏心磁性体コイルシステム。
【００１３】
（４）前項（１）記載の偏心磁性体コイルシステムにおいて、磁性体のコイルが巻かれていない部分がある一定の大きさであることを特徴とする偏心磁性体コイルシステム。
【００１４】
（５）前項（１）記載の偏心磁性体コイルシステムにおいて、磁性体のコイルが巻かれていない部分が主として垂直磁界による通信の役割を行うことを特徴とする偏心磁性体コイルシステム。
【００１５】
（６）前項（１）記載の偏心磁性体コイルシステムにおいて、磁性体の片面に金属面を設置することを特徴とする偏心磁性体コイルシステム。
【００１６】
（７）前項（１）記載の偏心磁性体コイルシステムにおいて、磁性体が薄板で構成されていることを特徴とする偏心磁性体コイルシステム。
【００１７】
（８）前項（１）ないし（７）のいずれか記載の偏心磁性体コイルシステムにおいて、センサとして使用する場合、プラスチックカバーを被せ、金属面に直接取り付けられることを特徴とする偏心磁性体コイルシステム。
【考案の効果】
【００１８】
本考案により、一般的に利用されているコイル状タグやセンサに対応して発生する面に垂直な磁界をとらえる相手のタグやセンサが金属面に存在するとき、感度が低下することが解決されるばかりでなく、センサやタグの中心部においても感度が低下したり、零点が発生することを克服することができた。
【００１９】
特許文献１にも記載されているように、金属面の影響を克服し、感度を向上させているものの両端の磁極でほぼ平等な磁界が発生するため、両端においては垂直磁界が発生するが、中心部では水平の磁界のみとなり、垂直磁界は存在しない。このため、対向するカードやタグセンサには電圧や電流が誘起されない。
【００２０】
これらの問題点を解決するため、片端に磁路による突起を設けた方式が特願２００５−２６５２７３「垂直磁界センサシステム」等に紹介されているが、突起を発生させたり、厚みを生じたりするため、使途によっては好ましくない場合もあった。
【００２１】
垂直方向に磁路を持つ上記の方法は、垂直磁界を励振し易いが、もともとコイル電流により発生する垂直磁界を片極のみ垂直磁界Ｈｖを発生させ易いように、コイル端より長い磁路を確保している。
【００２２】
この方法により磁界分布は不均一（アンバランス）となり、零点が発生し難くなる上、一番都合がよいのは、センサ並びにタグとして用いた場合、この中心部に垂直磁界が発生するため、センサやタグの中心部にカードやセンサを持っていった場合でも零点がなく、安心してセンシングできることに成功した。
【考案を実施するための最良の形態】
【００２３】
以下、本考案を実施するための最良の形態を実施例により詳しく説明する。
【実施例】
【００２４】
図９は、従来の技術によるタグあるいはセンサの実施例である。
【００２５】
角形磁性体６をコアとし、これにコイル２を巻き、電流Ｉにより磁界Ｈ（Ｈｈ，Ｈｖ）が励振される。磁性体６の軸方向に沿ってコイル２はほぼ左右対称となるように巻かれているので、磁極やコイル端から発生した磁界は水平あるいは斜めに、一部は垂直に立ち上がる。従って、両端には垂直磁界Ｈｖと水平磁界Ｈｈが存在する。このため外部コイルＣｏには両端まで起電力が発生し、電流ｉを流すことができる。
【００２６】
前記特許文献１の記述でも説明したとおり、金属のミラー効果により、下方にもイメージを得て金属板Ｍ上では２倍の磁束（６ｄＢ）を得ることができる。この点までは利点であるのであるが、磁性体の両極の中間では、磁界が水平Ｈｈとなり、金属面やタグに水平なコイルＣｏには鎖交する磁束がなく、電流が流れない。垂直コイルＣｖには磁束が鎖交するので、このような磁界Ｈｈをとらえるのは垂直コイルＣｖでなければならない。この領域をＡゾーンとする。中心部のＡゾーンから何らかの磁極に寄ることにより、垂直磁界Ｈｖの影響で誘起電圧や電流ｉを発生させることができるが、タグやセンサとして用いた場合、この中心部に感度零の部分が発生するので紛らわしいし、使いづらい。
【００２７】
図１は、本考案の動作原理を示す説明図である。
【００２８】
図９と比較して分る通り、コイル２は磁性体６の右あるいは左に寄せて巻いてある。このためタグやセンサの中心部は垂直磁界Ｈｖの領域となり、水平磁界Ｈｈ、垂直磁界Ｈｖが混在する領域は端に追いやられてしまう。また磁性体表面６Ｆが大きく取れるため垂直磁界Ｈｖが発生し易くなっている。即ち領域Ｂを広く取ることができる。磁性体６の長さを更に長くして、磁性体表面６Ｆを大きく取ろうとすると、水平磁界Ｈｈと垂直磁界Ｈｖの混在する領域になるので、適当な長さにすることが望ましい。この長さは磁性体の厚みや透磁率，巻数，周波数等によって異なり、ある程度これらを適宜選ぶことにより、使用目的を達することができる。
【００２９】
このように、垂直磁界が磁性体の中心部で発生でき、かつこの範囲が広く取れるので、センサやタグとして用いることが好適にできる。かつ金属面を利用しているので、金属面が無いときよりも６ｄＢの感度上昇が得られるので、金属面上で使用するには好適である。
【００３０】
図２は、図９で説明した例を垂直磁界Ｈｖと水平磁界Ｈｈと水平垂直混在磁界Ｈｈ＋Ｈｖの領域に分け、磁性体６も両極にコイル２の巻いていない部分を多くとった場合の例を示したものである。コイル２は太く示してあるが、実際はこのように太くないので、磁性体６が金属面Ｍとこのように隙間が生ずることはない。
【００３１】
先にも述べたように、中心部のコイル２の上方は水平磁界Ｈｈが主とした磁界の領域Ａとなる。隣の垂直磁界Ｈｖが主とした磁界が得られるのは領域Ｂである。更に端部に近い領域Ｃでは水平磁界Ｈｈと垂直磁界Ｈｖが混在し、どちらの磁界も使用することができる。
【００３２】
最も金属面Ｍに近い磁極の端部では、金属面Ｍに沿う強い磁界ＨｈＤが存在する領域Ｄがあり、この水平磁界ＨｈＤが最も強い。
【００３３】
領域Ｂと領域Ｃの垂直磁界Ｈｖも金属面Ｍによるコイル２のミラー効果により２倍に増強された磁界の一部であるから、垂直磁界でも減ぜられることなく強い磁界を得ることができる。
【００３４】
然し乍ら、このタイプではコイルの両側に同等逆方向の磁界が発生するので、中心部に置かれる対抗するループコイルＣｏには誘起電圧が発生しないので、どちらかにずらさなければならない。
【００３５】
図３は、解決手段を示す。図３は、コイル２が磁性体６の片端に巻かれているため、中心部が磁性体のみの領域Ｂであるため垂直磁界Ｈｖのみの存在となり、センサに応用した場合には、中心部でカードをかざしても零点（零領域）Ａが存在しないので紛らわしくない。
【００３６】
タグに応用した場合でも、タグの中心部に対向するコイルＣｏを持ってきても不感地帯がない。
【００３７】
図４は、タグとして構成した場合の例である。
【００３８】
コイル２は角形磁性体６の片端に巻かれている。この下方コイルの下（コイルと磁性体６との間に入れてもインダクタンスのずれには効力がある）に金属板ＭＢを最初から設置している。コイルの両端は絶縁体膜の上部に導かれ、電極７に接続されている。この電極７にフリップチップあるいはワイヤボンディング方式でＩＣ３がボンディングされる。チップ３と磁性体を含むコイルとは共振
【００３９】
【数１】
0003121577.tif 000003
【００４０】
が取れるようにＬとＣ１が定められている。例を挙げると、チップのキャパシティが２２ＰＦ近くでコイルのインダクタンスが約６．３μヘンリーとなっており、１３．５６ＭＨｚで共振が取れるようになっている。
【００４１】
チップ３を載せ、ワイヤボンディングやフリップチップ方式で結線した後、固定と保護のため、チップとボンディング部にポッティング８をして、覆っている。
【００４２】
図５は、センサの場合の説明図である。
【００４３】
磁性体６の右端に巻かれたコイル２の電流Ｉにより、垂直磁界Ｈｖが磁性体表面６Ｆに現れる。
【００４４】
コイル２が巻かれた磁性体６の金属面Ｍ側には、金属板等の金属面ＭＢが貼られている。
【００４５】
コイル２の両端は、端子Ｐｏ，Ｐｏ′に接続される。両端子Ｐｏ，Ｐｏ′には並列コンデンサＣ２が接続されていて、並列共振を行っている。
【００４６】
コイル２は送信と受信双方を兼ねているので、例えばＰ１側の端子を入力即ち送信端子とすると、Ｐ２側の端子は出力即ち受信端子となり、夫々がキャパシティＣ１とＣ２でセパレーションされている。
【００４７】
センサの上方に置かれたタグまたはカードのコイルにはセンサによる磁界Ｈｖにより電流ｉが流れ、ＩＣ３に電力を供給している。
【００４８】
図６はもう一つのタグの応用例である。
【００４９】
磁性体６は積層構造になっており、非磁性体の誘電体とで積層構造となっている。これをコアとし、この片端に印刷によるコイルが巻かれており、これに更に非磁性体の絶縁層ＩＮＳがあり、更にコイルの両端より貫通孔を通してリード線と接続され端子７までリード線Ｌで接続されている。
【００５０】
端子７には、ＩＣ３がボンディングあるいはフリップチップ方式でボンディングされている。ＩＣとボンディングを保護するために、図４と同じようにポッティングを施すのがよい。
【００５１】
図７は、センサの実用例を示す。
【００５２】
図７（ａ）は、図５の構成のような磁性体板をフレキシブルあるいは薄型のプリント基板ＰＣＢに載せ、更にＬＥＤの表示を載せた場合を示す。ＬＥＤは赤（レッド）と緑（グリーン）が普通で、これと合成させたり、橙色（オレンジ）や黄色（イエロー）の３色を用いる場合もある。（ａ）の（イ）は、入出力を別々に出し、４本の線で送受信機に接続する例であるが、（ロ）は、送受共通にし、送受信機の基板の所で送信機と受信機に分かれるようにする場合である。
【００５３】
図７（ｂ）は、図７（ａ）を横から見た場合で、磁性体６と基板ＰＣＢとが一体となり、コイル２の両端は基板のリード線に接続され、更にコンデンサＣ１，Ｃ２，Ｃ３が接続されている。基板の後方には、コネクタＣｎが取り付けられ、後方から給電や受電が行われるようにしている。コイル２は横に巻いているが、磁性体６に縦に巻いてもよい。
【００５４】
図７（ｃ）は、図（ａ）（ｂ）のセンサアンテナ部ＳＡをプラスチックケースＣｏｖに収容し、更に鉄壁ＭＷにスクリューＳＣで取り付けた場合を示す。鉄壁ＭＷにはケーブルを通す最小限の穴５〜１０ｍｍφ程度の穴を開ければ済み、工事も簡単でどこにでも簡単に取り付く。穴の部分やプラスチックカバーＣｏｖの枠に沿っては、ブッシング（あるいはガスケット）Ｇを当て、防水構造とすることができる。
【００５５】
このような構造でアンテナは金属面や鉄面の影響を受けるどころか、逆に鉄面によるミラーを利用し感度が上げられるので、直接金属面や鉄板面に取り付けられ、かつ送受信機と分けて取り付けられるので、従来のように磁界を逃がすため、アンテナ枠より大きな窓を鉄板面にくり抜く必要もなく、建築物の外観を損ったり水漏れを起こしたりすることがない。アクセスコントロールの他、センサやアンテナＳＡを自販機、ＰＯＳ端末、改札口その他の端末に用いることが多いが、このような薄いセンサアンテナを金属表面にじかに取り付けることができる上、磁界を逃がすための窓をあける必要がないので、加工が不要で、水漏れ等の心配もなく、強度も保つことができる。金属面の外に本考案のアンテナセンサを取り付け送受信機を金属面の内側に設置すれば、送受信機塁を守る意味でも遮蔽の意味でも、より使いやすいシステムを得ることができる。
【００５６】
コネクタＣｎを介して送受信機まではワイヤＷで配線を行う。
【００５７】
図８は、曲がった金属面に沿って本考案の偏心磁性体コイルシステムを応用した場合を示す。
【００５８】
金属面の曲がりに沿って磁路となる磁性体も曲げて構成するもので、あらかじめ磁性体を成形焼結したものでもよいし、ゴム性の磁性体を曲線に沿って折り曲げてもよい。磁界はむしろ曲がりに対し飛び出し易くなるので、外部のカードやタグとの結合がよくなる。
【００５９】
以上のように、本考案の偏心磁性体コイルシステムは、タグやセンサに有効に応用でき、今まで生じていた問題を、簡単な方法で有効に解決できるので、実用的効果が大きい。
【００６０】
［要旨］
本考案の偏心磁性体コイルシステムは、磁性体コアにコイルを巻くに当って、コイルを偏心して片端に巻くことにより中心部に発生する零点を回避し、更に垂直磁界を発生させる磁性体面を広く取れるため、一石二鳥の効果があり、薄型でありながら金属面のミラー効果を利用し、高感度なタグやセンサアンテナを構成するのに大変有用な技術である。
【図面の簡単な説明】
【００６１】
【図１】本考案の動作原理を示す説明図
【図２】図９で説明した例を垂直磁界Ｈｖと水平磁界Ｈｈと水平垂直混在磁界Ｈｈ＋Ｈｖの領域に分け、磁性体も両極にコイルの巻いていない部分を多くとった場合の例を示す図
【図３】コイルが磁性体の片端に巻かれている場合の例を示す図
【図４】タグとして構成した場合の例を示す図
【図５】センサの場合の説明図
【図６】タグの応用例を説明する図
【図７】センサの実用例を説明する図であって、（ａ）は、図５の構成のような磁性体板をフレキシブルあるいは薄型のプリント基板に載せ、更にＬＥＤの表示を載せた場合、（ｂ）は、（ａ）を横から見た場合、（ｃ）は、（ａ），（ｂ）のセンサアンテナ部をプラスチックケースに収容し、更に鉄壁にスクリューで取り付けた場合を、それぞれ示す。
【図８】曲がった金属面に沿って本考案の偏心磁性体コイルシステムを応用した場合を示す図
【図９】従来のタグあるいはセンサを示す図
【符号の説明】
【００６２】
２  コイル
３  ＩＣ
６  磁性体
６Ｆ  磁性体表面
７  電極、端子
８  ポッティング
９  金属板、絶縁層
Ａ  Ｈｈ領域
Ｂ  Ｈｖ領域
Ｃ  Ｈｈ＋Ｈｖ領域
Ｄ  Ｈｈ磁性体軸領域
Ｃｏ  外部カード、外部コイル
Ｃｖ  垂直コイル
Ｃ１，Ｃ２，Ｃ３，Ｃｃ  マッチング用コンデンサ
Ｃｎ  コネクタ
Ｃｏｖ  プラスチックカバー
Ｇ  ガスケット
Ｈ  磁界
Ｈｈ  水平磁界
Ｈｖ  垂直磁界
Ｉ  磁性体に巻かれたコイルの電流
ｉ  外部コイルの電流
ＩＮＳ  絶縁体、絶縁層
Ｌ  コイルとＩＣを結ぶ導線、リード線
Ｍ  金属面、金属板
ＭＢ  磁性体の下面に添えられた金属面、金属板
ＭＷ  鉄壁、鉄面
Ｐ  端子
Ｐｏ，Ｐｏ′  コイルの端子
Ｐ１，Ｐ１′  送信端子
Ｐ２，Ｐ２′  受信端子
ＰＣＢ  基板
Ｒ／Ｗ  リーダライタ
ＳＡ  センサアンテナ
ＳＣ  ネジ、スクリュー
Ｓｉｇ  信号
Ｗ  センサアンテナとＲ／Ｗを結ぶ線、ワイヤ
【図１】
0003121577.tif 000004
【図２】
0003121577.tif 000005
【図３】
0003121577.tif 000006
【図４】
0003121577.tif 000007
【図５】
0003121577.tif 000008
【図６】
0003121577.tif 000009
【図７】
0003121577.tif 000010
【図８】
0003121577.tif 000011
【図９】
0003121577.tif 000012